(57)【要約】【課題】購入しようとしている商品の中にアレルギー物質を含む商品があるかを清算途中に顧客が知ることができる商品販売データ登録処理装置を提供する。【解決手段】商品販売データ登録処理装置は、顧客側に向けられる入出力装置である客面入出力装置と、商品毎に固有に割り当てられる識別子である商品コード毎に単価を格納する商品マスタと、商品マスタから商品コードに基づいて読み出された情報に基づく一取引の内容を格納するトランザクションファイルと、商品コード毎にアレルギー物質の有無を格納するアレルギーデータベースと、一取引に含まれる商品の商品コード毎にアレルギー物質の有無を格納するアレルギーファイルと、アレルギーファイルを検索することによって一取引の商品の中にアレルギー物質を含有する商品があると判定した場合、当該アレルギー物質が含有されていることを客面入出力装置に表示する制御部と、を備える。【選択図】図７
2014170302.tif 000002
【特許請求の範囲】
【請求項１】
顧客側に向けられる入出力装置である客面入出力装置と、
商品毎に固有に割り当てられる識別子である商品コード毎に単価を格納する商品マスタと、
前記商品マスタから前記商品コードに基づいて読み出された情報に基づく一取引の内容を格納するトランザクションファイルと、
商品コード毎にアレルギー物質の有無を格納するアレルギーデータベースと、
一取引に含まれる商品の商品コード毎にアレルギー物質の有無を格納するアレルギーファイルと、
前記アレルギーファイルを検索することによって一取引の商品の中にアレルギー物質を含有する商品があると判定した場合、当該アレルギー物質が含有されていることを前記客面入出力装置に表示する制御部と、
を備える商品販売データ登録処理装置。
【請求項２】
前記制御部は、
前記アレルギーファイルを検索することによって一取引の商品の中にアレルギー物質を含有する商品があると判定した場合、当該アレルギー物質の名称を前記客面入出力装置に表示する請求項１記載の商品販売データ登録処理装置。
【請求項３】
前記制御部は、
前記客面入出力装置によってアレルギー物質が選択された場合、前記アレルギーファイルを検索することによって一取引の商品の中に当該アレルギー物質を含有する商品コードを抽出し、抽出された前記商品コードに基づいて前記トランザクションファイルから取引内容を抽出し、抽出された前記取引内容を前記客面入出力装置に表示する請求項２記載の商品販売データ登録処理装置。
【請求項４】
前記制御部は、
前記アレルギーファイルを検索することによって一取引の商品の中にアレルギー物質を含有する商品がないと判定した場合、当該アレルギー物質が含有されていないことを前記客面入出力装置に表示する請求項３記載の商品販売データ登録処理装置。
【請求項５】
前記制御部は、
前記アレルギーファイルを検索することによって一取引の商品の中にアレルギー物質を含有する商品がないと判定した場合、当該アレルギー物質の名称を前記客面入出力装置にグレーアウトして表示する請求項４記載の商品販売データ登録処理装置。
【発明の詳細な説明】
【技術分野】
【０００１】
本発明の実施形態は、商品販売データ登録処理装置に関する。
【背景技術】
【０００２】
近年食品の中に含まれるアレルギー物質に関心が高まっている。従来のＰＯＳ端末等の商品販売データ登録処理装置はレシートに購入した商品に含まれるアレルギー物質を記載していた。
【０００３】
しかし、アレルギー物質を含む食品を購入したくない消費者にとっては、購入した食品の中にアレルギー物質が含まれている者がある場合、一取引の清算後ではなく清算途中に知る方が便宜である。清算途中に、そのような食品の購入をキャンセルすることができるからである。
【０００４】
この点、従来の商品販売データ登録処理装置においては、レシートは一取引の清算終了後に印刷出力されるため、顧客は清算途中にアレルギー物質が含まれる商品が購入しようとしている商品群に含まれているかを知ることができない。
【先行技術文献】
【特許文献】
【０００５】
【特許文献１】特開２００７−２２６３０５号公報
【発明の概要】
【発明が解決しようとする課題】
【０００６】
従って、購入しようとしている商品の中にアレルギー物質を含む商品があるかを清算途中に顧客が知ることができる商品販売データ登録処理装置が求められている。
【課題を解決するための手段】
【０００７】
上記の課題を解決するために、本発明の一実施形態は、顧客側に向けられる入出力装置である客面入出力装置と、商品毎に固有に割り当てられる識別子である商品コード毎に単価を格納する商品マスタと、商品マスタから商品コードに基づいて読み出された情報に基づく一取引の内容を格納するトランザクションファイルと、商品コード毎にアレルギー物質の有無を格納するアレルギーデータベースと、一取引に含まれる商品の商品コード毎にアレルギー物質の有無を格納するアレルギーファイルと、アレルギーファイルを検索することによって一取引の商品の中にアレルギー物質を含有する商品があると判定した場合、当該アレルギー物質が含有されていることを客面入出力装置に表示する制御部と、を備える商品販売データ登録処理装置を提供する。
【図面の簡単な説明】
【０００８】
【図１】商品販売データ登録処理装置の外観斜視図である。
【図２】商品販売データ登録処理装置の構成を示すブロック図である。
【図３】商品マスタのデータ構成を示す図である。
【図４】トランザクションファイルのデータ構成を示す図である。
【図５】アレルギーデータベースのデータ構成を示す図である。
【図６】アレルギーファイルのデータ構成を示す図である。
【図７】商品販売データ登録処理装置の動作を示すフローチャートである。
【図８】客面入出力装置に表示される明細画面の例を示す図である。
【図９】アレルギー物質を含有する商品が含まれている場合の明細画面の例を示す図である。
【図１０】アレルギー物質のボタンが押下された場合の商品抽出画面を示す図である。
【発明を実施するための形態】
【０００９】
以下、商品販売データ登録処理装置の一実施形態について、図面を用いて詳細に説明する。
【００１０】
本実施形態の商品販売データ登録処理装置は、顧客側に向けられる入出力装置である客面入出力装置と、商品毎に固有に割り当てられる識別子である商品コード毎に単価を格納する商品マスタと、商品マスタから商品コードに基づいて読み出された情報に基づく一取引の内容を格納するトランザクションファイルと、商品コード毎にアレルギー物質の有無を格納するアレルギーデータベースと、一取引に含まれる商品の商品コード毎にアレルギー物質の有無を格納するアレルギーファイルと、アレルギーファイルを検索することによって一取引の商品の中にアレルギー物質を含有する商品があると判定した場合、当該アレルギー物質が含有されていることを客面入出力装置に表示する制御部と、を備える。
【００１１】
図１は、商品販売データ登録処理装置１（以下、登録処理装置１と言う。）の外観斜視図である。図１に示すように、登録処理装置１は、本体部１０１と、タッチパネル等の入出力装置であるオペレータ側入出力装置１２Ａと、顧客側に向けられるタッチパネル等の入出力装置である客面入出力装置１２Ｂと、カードリーダ１０２と、キーボード１０３と、ドロワなどの入出金装置１０４と、を備える。
【００１２】
登録処理装置１はさらに、商品のバーコードをスキャンするスキャナを備える。
【００１３】
以下、オペレータ側入出力装置１２Ａ及び客面入出力装置１２Ｂを入出力部１２と呼ぶ。
【００１４】
図２は、登録処理装置１の構成を示すブロック図である。図２に示すように、登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、情報通信を行う通信部１３と、メモリ、ハードディスクドライブ等の記憶装置を含む記憶部１４と、を備える。
【００１５】
記憶部１４は、商品毎に固有に割り当てられる識別子である商品コード毎に単価を格納する商品マスタ１４Ａと、一取引の内容を格納するトランザクションファイル１４Ｂと、商品コード毎にアレルギー物質の有無を格納するアレルギーデータベース（以下、データベースをＤＢと言う。）１４Ｃと、一取引に含まれる商品の商品コード毎にアレルギー物質の有無を格納するアレルギーファイル１４Ｄと、を格納する。
【００１６】
登録処理装置１は、通信部１３を介してストアコントローラ等の管理装置２と通信してもよい。
【００１７】
管理装置２は、演算装置であるＣＰＵを含む制御部２１と、情報を入出力する入出力部２２と、情報通信を行う通信部２３と、メモリ、ハードディスクドライブ等の記憶装置を含む記憶部２４と、を備える。
【００１８】
記憶部２４は、商品毎に固有に割り当てられる識別子である商品コード毎に単価を格納する商品マスタ２４Ａと、商品コード毎にアレルギー物質の有無を格納するアレルギーＤＢ２４Ｂと、を格納する。
【００１９】
登録処理装置１は、一取引内の商品に対応する商品コードが商品マスタ１４Ａ及びアレルギーＤＢ１４Ｃにない場合、管理装置２の商品マスタ２４Ａ及びアレルギーＤＢ２４Ｂから該当するデータを読み出して商品マスタ１４Ａ及びアレルギーＤＢ１４Ｃに格納し、一取引の処理を行う。
【００２０】
管理装置２は、商品マスタ２４Ａ及びアレルギーＤＢ２４Ｂに格納されているデータに変更があった場合、該当するデータを  登録処理装置１に送信する。登録処理装置１は受信したデータに基づいて商品マスタ１４Ａ及びアレルギーＤＢ１４Ｃを更新する。
【００２１】
図３は、商品マスタ１４Ａのデータ構成を示す図である。図３に示すように、商品マスタ１４Ａは、商品毎に固有に割り当てられる「商品コード」と、商品の名称である「名称」と、商品の１個当たりの価格である「単価」と、商品の販売部門を示す「部門」と、を格納する。
【００２２】
各データの例は、商品コードが「４００００００００１２３４」、名称が「冷凍カルボナーラ」、単価が「３９８」、部門が「５０１０」である。
【００２３】
商品マスタ２４Ａのデータ構成は商品マスタ１４Ａのデータ構成と同様である。
【００２４】
図４は、トランザクションファイル１４Ｂのデータ構成を示す図である。図４に示すように、トランザクションファイル１４Ｂは、顧客が購入した商品を示す「商品コード」と当該商品の名称である「名称」と、当該商品の１個当たりの価格である「単価」と、顧客が購入した個数である「数量」と、を格納する。
【００２５】
各データの例は、商品コードが「４００００００００１２３４」、名称が「冷凍カルボナーラ」、単価が「３９８」、数量が「２」である。
【００２６】
図５は、アレルギーＤＢ１４Ｃのデータ構成を示す図である。図５に示すように、アレルギーＤＢ１４Ｃは、商品毎に固有に割り当てられる「商品コード」と、各アレルギー物質、例えば「卵」、「乳」、「小麦」、「蕎麦」等の有無を示す「１」又は「０」を格納する。
【００２７】
各データの例は、商品コードが「４００００００００１２３４」、卵が「１」、乳が「１」、小麦が「１」、蕎麦が「０」である。
【００２８】
図６は、アレルギーファイル１４Ｄのデータ構成を示す図である。図６に示すように、アレルギーファイル１４Ｄは、顧客が購入した商品を示す「商品コード」と、各アレルギー物質、例えば「卵」、「乳」、「小麦」、「蕎麦」等の有無を示す「１」又は「０」を格納する。
【００２９】
各データの例は、商品コードが「４００００００００１２３４」、卵が「１」、乳が「１」、小麦が「１」、蕎麦が「０」である。
【００３０】
図７は、登録処理装置１の動作を示すフローチャートである。図７に示すように、ステップ７０１において、登録処理装置１は商品のバーコードをスキャンして商品コードを読み取る。
【００３１】
ステップ７０２において、登録処理装置１は読み取った商品コードに基づいて商品マスタを検索し、商品名と単価を読み出し、トランザクションファイル１４Ｂに格納する。
【００３２】
ステップ７０３において、登録処理装置１は読み取った商品コードに基づいてアレルギーＤＢ１４Ｃを検索し、各アレルギー物質の含有の有無であるアレルギー情報を読み込む。
【００３３】
ステップ７０４において、登録処理装置１は読み込んだアレルギー情報を商品コード毎にアレルギーファイルに格納する。
【００３４】
ステップ７０５において、登録処理装置１はスキャンした商品コード、名称、単価、数量、及び含有されているアレルギー物質を客面入出力装置１２Ｂに表示する。
【００３５】
ステップ７０６において、登録処理装置１は、客面入出力装置１２Ｂに列挙表示されたアレルギー物質のボタンが押下されたかを判定する。登録処理装置１は、アレルギー物質のボタンが押下されたと判定した場合、ステップ７０７に進み、押下されていないと判定した場合、ステップ７０８に進む。
【００３６】
ステップ７０７において、登録処理装置１は押下されたアレルギー物質を含有する商品をトランザクションファイルから抽出表示する。具体的には、登録処理装置１は押下されたアレルギー物質を含有する商品コードに基づいてアレルギーファイル１４Ｄを検索し、該当する商品コードを読み出す。登録処理装置１は読み出した商品コードに基づいてトランザクションファイル１４Ｂを検索し、商品名、単価、数量を読み出し、客面入出力装置１２Ｂに出力する。
【００３７】
ステップ７０８において、登録処理装置１は小計ボタンが押下されたかを判定する。登録処理装置１は、小計ボタンが押下されたと判定した場合、ステップ７０９に進み、押下されていないと判定した場合、ステップ７０１に戻る。
【００３８】
ステップ７０９において、登録処理装置１は小計を計算する。
【００３９】
ステップ７１０において、登録処理装置１は預かり金を入力する。
【００４０】
ステップ７１１において、登録処理装置１はつり銭を計算する。
【００４１】
ステップ７１２において、登録処理装置１はトランザクションファイル１４Ｂ及びアレルギーファイル１４Ｄをクリアする。
【００４２】
図８は、客面入出力装置１２Ｂに表示される明細画面の例を示す図である。図８に示すように、明細画面は、スキャンした商品の内容を示す詳細部８０１と、アレルギー物質に関する情報を表示するアレルギー情報部８０２と、を表示する。
【００４３】
登録処理装置１は、スキャンした商品にアレルギー物質を含有する商品がない場合、アレルギー情報部８０２にアレルギー物質がないことを示す「アレルギー物質：なし」を表示し、各アレルギー物質のボタンをグレーアウトする。
【００４４】
図９は、アレルギー物質を含有する商品が含まれている場合の明細画面の例を示す図である。図９に示すように、登録処理装置１は、スキャンした商品にアレルギー物質を含有する商品がある場合、アレルギー情報部８０２にアレルギー物質があることを示す「アレルギー物質：あり」を表示し、該当するアレルギー物質のボタンを点灯又は見やすい色によって表示する。
【００４５】
図１０は、アレルギー物質のボタンが押下された場合の商品抽出画面を示す図である。図１０に示すように、登録処理装置１は、アレルギー物質を示すボタン、例えば「乳」が押下された場合、当該ボタンを反点させ、該当するアレルギー物質である「乳」を含む商品をトランザクションファイル１４Ｂから抽出して詳細部８０１に反点して表示する。
【００４６】
以上述べたように、本実施形態の登録処理装置１は、顧客側に向けられる入出力装置である客面入出力装置１２Ｂと、商品毎に固有に割り当てられる識別子である商品コード毎に単価を格納する商品マスタ１４Ａと、一取引の内容を格納するトランザクションファイル１４Ｂと、商品コード毎にアレルギー物質の有無を格納するアレルギーＤＢ１４Ｃと、一取引に含まれる商品の商品コード毎にアレルギー物質の有無を格納するアレルギーファイル１４Ｄと、アレルギーファイルを検索することによって一取引の商品の中にアレルギー物質を含有する商品があると判定した場合、このアレルギー物質が含有されていることを客面入出力装置１２Ｂに表示する制御部と、を備える。
【００４７】
従って、購入しようとしている商品の中にアレルギー物質を含む商品があるかを清算途中に顧客が知ることができるという効果がある。
【００４８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１：登録処理装置
２：管理装置
１２Ｂ：客面入出力装置
１４Ｃ：アレルギーデータベース
１４Ｄ：アレルギーファイル
【図１】
2014170302.tif 000003
【図２】
2014170302.tif 000004
【図３】
2014170302.tif 000005
【図４】
2014170302.tif 000006
【図５】
2014170302.tif 000007
【図６】
2014170302.tif 000008
【図７】
2014170302.tif 000009
【図８】
2014170302.tif 000010
【図９】
2014170302.tif 000011
【図１０】
2014170302.tif 000012